(57)【要約】【課題】沈殿汚泥を舞い上げることなく確実に掻き寄せできるよう、駆動装置の駆動速度を一定としたとき、汚泥掻寄用スクレーパを常に一定速度での駆動を可能としたピンラック式駆動方式を採用した汚泥掻寄機を提供すること。【解決手段】汚水処理槽１の槽底１１に沿って往復移動させて、槽底１１に沈殿した汚泥を汚泥ピットＰ側に掻き寄せるようにした汚泥掻寄機において、汚泥掻寄用スクレーパＣを備えた汚泥掻寄装置２を、汚水処理槽１外に配設したピンラック式駆動装置３よりリンク機構４を介して槽底１１に沿って往復移動するように構成する。【選択図】図１
2006061875.tif 000002
【特許請求の範囲】
【請求項１】
汚水処理槽の槽底に沿って往復移動させて、該槽底に沈殿した汚泥を汚泥ピット側に掻き寄せるようにした汚泥掻寄機において、汚泥掻寄用スクレーパを備えた汚泥掻寄装置を、汚水処理槽外に配設したピンラック式駆動装置よりリンク機構を介して槽底に沿って往復移動するように構成したことを特徴とする汚泥掻寄機。
【請求項２】
ピンラック式駆動装置を、垂直方向に配設したピンラックに噛合してピンホイールが周回をするように構成したことを特徴とする請求項１記載の汚泥掻寄機。
【請求項３】
ピンラック式駆動装置を、水平方向に配設したピンラックに噛合してピンホイールが周回をするように構成したことを特徴とする請求項１記載の汚泥掻寄機。
【発明の詳細な説明】
【技術分野】
【０００１】
本発明は、汚泥掻寄機に関し、特に、汚水処理槽の槽底に沿って往復移動させて、該槽底に沈殿した汚泥を汚水処理槽の端部位置に配設した汚泥ピット側にスクレーパにて掻き寄せるようにした汚泥掻寄機において、汚泥掻寄機の駆動をピンラック駆動方式とした汚泥掻寄機に関するものである。
【背景技術】
【０００２】
従来、汚泥掻寄機（沈砂を対象とする沈砂掻寄機を含み、本明細書において、単に、「汚泥掻寄機」という。）は、原水を流入するようにした汚水処理槽１の槽底１１に沈降した汚泥を掻き集めて汚泥ピットＰ内に一時貯留し、排泥管５を経て外部に排出するように構成されている。
例えば、図３に示すように、槽底１１に沿って汚泥掻寄用スクレーパＣを油圧シリンダＳを用いた駆動装置にて往復移動を行わせるように構成した汚泥掻寄機が提案されている。
【０００３】
また、図４に示すように、モータＭに直結とした回転円板Ｒに複数本のリンクを組み合わせてなるリンク機構Ｌを介して槽底１１に沿って汚泥掻寄用スクレーパＣを往復移動させるようにした駆動装置を採用した汚泥掻寄機も提案されている。
【０００４】
しかしながら、図３に示す油圧シリンダ式駆動装置においては、油圧ポンプと油圧シリンダ間の油圧配管などの配管が複雑となり、かつ作動油が漏洩しないよう配管を強度にしなければならないという問題があった。
また、図４に示すモータ直結の回転円板式駆動装置においては、円運動をリンク機構を介して直線運動に変換するようにしているから、その機構上一定の速度で汚泥掻寄用スクレーパＣを往復移動させることができないため、汚泥掻寄時において高速移動区間にて槽底に沈殿した汚泥を再び舞い上げて効率的な汚泥掻き寄せができないという問題を有し、かつ掻き寄せストロークを長くするには回転円板の直径を大きくしなければならず、装置が必要以上に大型化するという問題があった。
【発明の開示】
【発明が解決しようとする課題】
【０００５】
本発明は、上記従来の汚泥掻寄機の有する問題点に鑑み、沈殿汚泥を舞い上げることなく確実に掻き寄せできるよう、駆動装置の駆動速度を一定としたとき、汚泥掻寄用スクレーパを常に一定速度での駆動を可能としたピンラック式駆動方式を採用した汚泥掻寄機を提供することを目的とする。
【課題を解決するための手段】
【０００６】
上記目的を達成するため、本発明の汚泥掻寄機は、汚水処理槽の槽底に沿って往復移動させて、該槽底に沈殿した汚泥を汚泥ピット側に掻き寄せるようにした汚泥掻寄機において、汚泥掻寄用スクレーパを備えた汚泥掻寄装置を、汚水処理槽外に配設したピンラック式駆動装置よりリンク機構を介して槽底に沿って往復移動するように構成したことを特徴とする。
【０００７】
この場合において、ピンラック式駆動装置を、垂直方向に配設したピンラックに噛合してピンホイールが周回をするように構成することができる。
【０００８】
また、この場合において、ピンラック式駆動装置を、水平方向に配設したピンラックに噛合してピンホイールが周回をするように構成することができる。
【発明の効果】
【０００９】
本発明の汚泥掻寄機によれば、汚水処理槽の槽底に沿って往復移動させて、該槽底に沈殿した汚泥を汚泥ピット側に掻き寄せるようにした汚泥掻寄機において、汚泥掻寄用スクレーパを備えた汚泥掻寄装置を、汚水処理槽外に配設したピンラック式駆動装置よりリンク機構を介して槽底に沿って往復移動するように構成しているから、ピンホイールの回転数を一定とした場合、槽底に沿って移動する汚泥掻寄用スクレーパを常に一定速度で移動させることができるので、沈殿汚泥を舞い上げることなく汚泥の掻き寄せを効率的に行うことができ、さらには信頼性を向上することができる。
【００１０】
また、垂直方向に配設したピンラックに噛合してピンホイールが周回をするようにピンラック式駆動装置を構成しているから、汚水処理槽設置場所が狭小な箇所においても設置することができ、また作業者が移動することなく、同位置でのメンテナンス作業が行えるので、メンテナンスが容易となる。
【００１１】
また、水平方向に配設したピンラックに噛合してピンホイールが周回をするようにピンラック式駆動装置を構成しているから、高位置でのメンテナンス作業が無くなり、安全にメンテナンス作業が行える。
【発明を実施するための最良の形態】
【００１２】
以下、本発明の汚泥掻寄機の実施の形態を、図面に基づいて説明する。
【実施例１】
【００１３】
図１に、本発明の汚泥掻寄機の一実施例を示す。
本発明の汚泥掻寄機Ａは、汚泥沈殿池、沈砂池等の汚水処理槽１に設置する。この汚水処理槽１は、特に限定されるものではないが、例えば、図１に示すように、その一端側から整流板６を経て原水（汚水）が矢符のように導入されるとともに、この汚水供給側の底部に汚泥ピットＰを備え、さらに、この汚水処理槽１内には、槽底１１に沈降した汚泥を、掻き寄せ、汚泥ピットＰに集泥するようにした汚泥掻寄用スクレーパＣを有する汚泥掻寄装置２を配置し、これによりこの汚泥ピットＰ内に集泥された汚泥Ｄを、汚泥ピットＰに備えた汚泥引抜管５にて汚水処理槽１外に引き抜き、排出するようにしている。
この汚水処理槽１の槽底１１は、特に限定されるものではないが、好ましくは、槽底１１に沈降した汚泥Ｄが掻き寄せ時に汚泥ピットＰに流入し易いように、汚泥ピットＰ側槽底が低くなるように傾斜して形成するようにする。
【００１４】
また、汚水処理槽１には、汚水処理槽１に導入された汚水に含まれるスカム分が分離して浮遊する位置、これは特に限定されるものではないが、例えば、汚水処理槽１のほぼ中央付近或いは中央部より後流側の水面にスカムスキマＫを配設して、水面に浮遊するスカムを汚水処理槽１外に排出するようにし、これにより流入する原水から固形分である汚泥分のみを沈降分離し、かつスカムを除去した処理後の汚水を汚水処理槽１外に排水するように構成する。
【００１５】
この汚泥掻寄機Ａは、図１に示すように、汚水処理槽１の槽底１１に沈降した汚泥Ｄを汚泥掻寄用スクレーパＣにて掻き寄せるようした汚泥掻寄装置２と、汚水処理槽１の外側或いは上側等の汚水処理槽外に配設したピンラック式駆動装置３と、このピンラック式駆動装置３より汚泥掻寄装置２を槽底に沿って往復移動させるようにした複数本のリンクよりなるリンク機構４とより構成する。
このピンラック式駆動装置３とリンク機構４とより汚泥掻寄装置２を駆動する駆動装置を構成する。
【００１６】
また、このピンラック式駆動装置３は、ピンラック３１と、このピンラック３１に噛合してピンラック３１の外周を周回するようにしたピンホイール３２とより構成する。
この場合、このピンラック３１は、図１に示すように、垂直方向もしくは垂直に近い方向に配設し、これによりピンホイール３２がピンラック３１に沿って昇降するようにして移動するように構成することができるが、これは特に限定されるものではなく、例えば、図２に示す変形実施例のように、ピンラック３１を水平方向に配設し、これによりピンホイール３２がピンラック３１の外周を周回するようにして水平方向に移動するように構成することもできる。
【００１７】
リンク機構４は、複数本のリンクよりなり、その一端側の揺動リンク４１を、前記ピンホイール３２の一部に係着し、他端側の揺動リンク４２を汚泥掻寄装置２の端部に係着し、この両揺動リンク４１，４２間を複数本の連結リンク４３にて連結して構成し、これによりピンラック３１に沿ってその周回方向に移動するピンホイール３２の周回運動を直線の水平運動に変換し、かつ汚泥掻寄装置２の汚泥掻寄用スクレーパＣが水平に、即ち槽底に沿う方向に往復移動するようにする。
なお、リンク機構４は、垂直又は水平方向に配設されるピンラック３１の外周を周回をするピンホイール３２の移動に追従して汚泥掻寄用スクレーパＣが槽底に沿って一定速度にて移動するように構成するが、その構成は図示のものに限定されるものではない。
【００１８】
また、ピンラック３１の外周をピンホイール３２が周回する際、図１に示すように、ピンラック３１が垂直に配設される場合であっても、また図２に示すように、水平に配設される場合であっても、このピンホイール３２の１周回を汚泥掻寄用スクレーパＣが往復移動する１ストローク長とし、この場合、ピンラック３１の全長Ｌ２を、汚泥掻寄用スクレーパＣの間隔ピッチＬ１よりも大となるように設定する。
これにより、ピンホイール３２の１周回にて汚泥掻寄用スクレーパＣを１ストローク往復移動させて確実に槽底に沈殿した汚泥Ｄを汚泥ピットＰ側に掻き寄せ移動させるようにする。
【００１９】
汚泥掻寄装置２は、槽底に沿うよう配設された汚泥掻寄フレーム２１に、複数の汚泥掻寄用スクレーパＣを、所定の間隔で複数配設して構成し、これにより、全汚泥掻寄用スクレーパＣが同時に１ストローク往復移動することにより沈殿汚泥の掻き寄せを行わせるようにする。
【００２０】
次に、この汚泥掻寄機の作用について説明する。
汚水処理槽１内に整流板６を経て流入した原水中の汚泥等の固形分は、槽底１１に沈殿する。この槽底１１に沈降した汚泥を汚泥ピットＰ内に集泥するには、ピンラック式駆動装置３を駆動する。
【００２１】
これにより、ピンラック３１に噛合したピンホイール３２は、ピンラック３１の外周を周回する際、このピンホイール３２の周回運動を、リンク機構４を介して直線運動に変換して汚泥掻寄装置２に伝達されるようになる。
この場合、ピンホイール３２の周回運動にて移動する距離は、ピンラック３１の全長Ｌ１となるが、このピンホイール３２の移動距離Ｌ２は、汚泥掻寄フレーム２１に配設した汚泥掻寄用スクレーパＣの間隔ピッチＬ１よりも大になるよう設定されているため、ピンホイール３２の１周回にて汚泥掻寄用スクレーパＣを１ストローク往復移動させる場合、未掻寄部分のないようにして槽底に沈殿した汚泥Ｄを確実に１ストロークづつ掻き寄せることができるようになる。
このようにしてピホイールルの回転数を一定とした場合、槽底に沿って移動する汚泥掻寄用スクレーパを常に一定速度で移動させることができるので、沈殿汚泥を舞い上げることなく汚泥の掻き寄せを効率的に行うことができ、さらには装置のコストダウンを図り、かつ信頼性を向上することができる。
【００２２】
以上、本発明の汚泥掻寄機について、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の汚泥掻寄機は、汚水処理槽の槽底に沈殿した汚泥を、往復運動をする汚泥掻寄スクレーパにて１ピッチずつ汚泥ピット側へ確実に掻き寄せるという特性を有していることから、汚水処理槽の汚泥掻寄機の用途に好適に用いることができるほか、例えば、１列或いは複数列に整列した物品を、１ピッチずつ搬送する搬送機や移動装置の用途にも用いることができる。
【図面の簡単な説明】
【００２４】
【図１】本発明の汚泥掻寄機の一実施例を示す正面縦断面図である。
【図２】ピンラック式駆動装置の異なる実施例を示す説明図である。
【図３】従来の汚泥掻寄機を示す正面縦断面図である。
【図４】従来の汚泥掻寄機を示す正面縦断面図である。
【符号の説明】
【００２５】
Ａ    汚泥掻寄機
Ｃ    汚泥掻寄用スクレーパ
Ｐ    汚泥ピット
Ｌ１  汚泥掻寄用スクレーパの間隔ピッチ
Ｌ２  ピンラックの全長（ピンホイールの移動距離）
１    汚水処理槽
１１  槽底
２    汚泥掻寄装置
２１  汚泥掻寄フレーム
３    ピンラック式駆動装置
３１  ピンラック
３２  ピンホイール
４    リンク機構
４１  揺動リンク
４２  揺動リンク
４３  連結リンク
【図１】
2006061875.tif 000003
【図２】
2006061875.tif 000004
【図３】
2006061875.tif 000005
【図４】
2006061875.tif 000006